(57)【要約】【課題】タンク受承部材への留め付け作業を容易に行うことができる樹脂タンク及びその設置構造を提供する。【解決手段】ロータンク１４は、タンク本体１６と、該タンク本体１６の側面１６ｂから張り出す張出片１８とを備えている。張出片１８が設けられた側面１６ｂは、タンク本体１６の底面１６ａに対し略垂直であるか又はタンク本体１６の内側に傾斜する逆傾斜となっている。タンク受承部材１２上にタンク本体１６を載置し、張出片１８を上方から下方に貫くようにしてドライバ２４でビス２２を該タンク受承部材１２のボス部１２ｃに螺合させる。張出片１８の上側において側面１６ｂが側方に迫り出していないので、ドライバ２４や作業者の手が該タンク本体１６に触れにくい。【選択図】  図２
2004238808.tif 000002
【特許請求の範囲】
【請求項１】
底面及び該底面から立ち上がる側面を有したタンク本体と、該タンク本体から側方に張り出す張出片とを備えており、
該タンク本体及び張出片は合成樹脂の一体成形品よりなり、該タンク本体には、上方に向って拡大する抜き勾配が形成されている樹脂タンクにおいて、
該タンク本体の少なくとも１つの側面は、底面に対し略垂直であるか又はタンク本体の内側に傾斜する逆傾斜となっており、
前記張出片は、この略垂直又は逆傾斜の側面から突設されていることを特徴とする樹脂タンク。
【請求項２】
請求項１において、該樹脂タンクは便器のロータンクであり、該底面と該張出片が突設された側面との挟角が８５°以下であることを特徴とする樹脂タンク。
【請求項３】
請求項１又は２において、前記略垂直又は逆傾斜となっている側面と反対側の側面は、タンク本体の外方に傾斜する正傾斜となっており、
この正傾斜の側面からは、タンク受承部材の係止部に係合する突部が突設されていることを特徴とする樹脂タンク。
【請求項４】
請求項１ないし３のいずれか１項に記載の樹脂タンクがタンク受承部材上に載置され、該張出片を上方から下方に貫くビス又はボルトが該タンク受承部材に螺合し、これにより樹脂タンクが固定されている樹脂タンクの設置構造。
【請求項５】
請求項４において、該樹脂タンクは請求項３に記載の樹脂タンクであり、
前記タンク受承部材には前記突部が係合した係止部が設けられていることを特徴とする樹脂タンクの設置構造。
【発明の詳細な説明】
【０００１】
【発明の属する技術分野】
本発明は、便器のロータンクに好適な樹脂タンクとその設置構造に係り、特に側面から張出片が突設されている樹脂タンク及びその設置構造に関するものである。
【０００２】
【従来の技術】
便器のロータンクを合成樹脂製とした場合、該ロータンクをタンク受承部材に固定するために、ロータンク側面に張出片を設け、この張出片を上方から下方に貫くビスによって該ロータンクを該タンク受承部材にビス留め固定する構造が公知である（特許第３０４２３０３号）。
【０００３】
第３図は同号の構成を示す分解斜視図（同号の図２）である。
【０００４】
同号の構成においては、洋風便器の後部上面に設置されるベースプレート１００上にタンク受承部材１０２が設置され、このタンク受承部材１０２上にロータンク１０４が載置される。
【０００５】
該タンク受承部材１０２は無蓋箱状のものであり、上面が開口１０２ａとなっている。この上面開口１０２ａから該タンク受承部材１０２内にロータンク１０４の底部が嵌入可能となっている。該開口１０２ａの周縁部からは、外方に向ってフランジ１０２ｂが突設されている。このタンク受承部材１０２の底面がベースプレート１００上に重ねられ、ビス留めによって固定されている。符号１００ａはこのビス留め用のビスをベースプレート１００に螺合させるためのビス孔を示している。
【０００６】
ロータンク１０４の側面からは、該フランジ１０２ｂの上面に重なるように側方に張出片１０４ａが張り出している。この張出片１０４ａには、ビス１０６が該張出片１０４ａを上方から下方に貫くように挿通されるビス挿通孔１０４ｂが設けられている。該フランジ１０２ｂには、このビス挿通孔１０４ｂを介してビス１０６が螺合するビス孔１０２ｃが設けられている。
【０００７】
このロータンク１０４は、その底部が開口１０２ａを介して上方からタンク受承部材１０２内に嵌入されると共に、張出片１０４ａがこのタンク受承部材１０２のフランジ１０２ｂの上面に重ね合わされ、次いで、ビス挿通孔１０４ｂを介して該張出片１０４ａを上方から下方に貫くようにビス１０６が該フランジ１０２ｂのビス孔１０２ｃにねじ込まれることにより、タンク受承部材１０２に留め付けられる。
【０００８】
なお、ベースプレート１００には、このロータンク１０４内に貯留された水を便器洗浄水として便器内に導入するための開口１００ｂが設けられている。また、タンク受承部材１０２の底面及びロータンク１０４の底面にも、それぞれ、これと同様の開口が設けられている。このロータンク１０４の底面開口には、フロート弁装置が装着される。
【０００９】
このロータンク１０４を内包するようにベースプレート１００上にロータンクカバーが取り付けられる。このロータンクカバーの上部には、ロータンク１０４内に水を供給するためのボールタップと、該フロート弁装置のフロート弁を引き上げ操作するためのフロート弁引き上げ装置とが設けられている。このフロート弁引き上げ装置を操作することにより、フロート弁装置が開弁され、ロータンク１０４内の貯留水が前記開口１００ｂ等を介して便器内に放出される。
【００１０】
ところで、この種の樹脂タンクを射出成形する場合、成形品を金型から脱型し易くするために、上方ほど拡大する抜き勾配を設けている。
【００１１】
第４図は、この抜き勾配を有したロータンクの模式的な縦断面図であり、このロータンク１１０は、略方形の底面１１０ａと、該底面１１０ａから立ち上がる側面１１０ｂと、該側面１１０ｂから張り出す張出片１１０ｃとを有している。図示の通り、このロータンク１１０の各側面１１０ｂは、いずれも底面１１０ａとの挟角が鈍角となるように上方側が外方に傾斜している。
【００１２】
このロータンク１１０も、タンク受承部材１１２上に載置され、該張出片１１０ｃを上方から下方に貫くようにしてビス１１４が該タンク受承部材１１２に螺合することにより、該タンク受承部材１１２に固定される。なお、符号１１２ａは該ビス１１４が螺合するボス部を示している。このボス部１１２ａの上端面は、下方から該張出片１１０ｃの下面に当接している。
【００１３】
【特許文献１】
特許第３０４２３０３号
【００１４】
【発明が解決しようとする課題】
第４図のロータンク１１０を受承部材１１２にビス留めする場合、側面１１０ｂの上部が側方に迫り出しているため、ドライバ１１６等の工具や作業者の手が該側面１１０ｂに触れ易く、ビス留めしにくい。
【００１５】
本発明は、かかる不便を解消し、タンク受承部材への留め付け作業を容易に行うことができる樹脂タンクと、その設置構造を提供することを目的とする。
【００１６】
【課題を解決するための手段】
本発明の樹脂タンクは、底面及び該底面から立ち上がる側面を有したタンク本体と、該タンク本体から側方に張り出す張出片とを備えており、該タンク本体及び張出片は合成樹脂の一体成形品よりなり、該タンク本体には、上方に向って拡大する抜き勾配が形成されている樹脂タンクにおいて、該タンク本体の少なくとも１つの側面は、底面に対し略垂直であるか又はタンク本体の内側に傾斜する逆傾斜となっており、前記張出片は、この略垂直又は逆傾斜の側面から突設されていることを特徴とするものである。
【００１７】
本発明の樹脂タンクの設置構造は、かかる本発明の樹脂タンクがタンク受承部材上に載置され、前記張出片を上方から下方に貫くビス又はボルトが該タンク受承部材に螺合し、これにより樹脂タンクが固定されていることを特徴とするものである。
【００１８】
かかる本発明の樹脂タンク及びその設置構造にあっては、タンク本体底面に対し略垂直であるか又はタンク本体の内側に傾斜する逆傾斜となっている側面からタンク固定用の張出片が突設されており、該張出片の上側においてタンク本体側面が側方に迫り出していないので、この張出片を上方から下方に貫くようにしてタンク受承部材にビス又はボルトを螺合させるに際し、ドライバ等の工具や作業者の手が該タンク本体に触れにくい。このため、樹脂タンクのタンク受承部材への留め付け作業を容易に行うことができる。
【００１９】
本発明では、この張出片が設けられるタンク本体側面をタンク本体の内側に傾斜する逆傾斜とし、且つこの側面とタンク本体底面との挟角を８５°以下とすることが好ましい。これにより、張出片の上側に十分なスペースが確保され、ビスやボルトをドライバ等の工具でタンク受承部材に螺合させる作業を極めて容易に行うことができるようになる。
【００２０】
なお、本発明の樹脂タンクを射出成形する場合、成形品を金型から脱型し易くするために、張出片が設けられるタンク本体側面と反対側の側面をタンク外方に傾斜する正傾斜とし、これらの側面同士の間に、上方に向って拡大する抜き勾配を形成する。
【００２１】
この場合、正傾斜のタンク本体側面から、タンク受承部材へのタンク係止用の突部が突設されており、該タンク受承部材には、この突部が係合可能な係止部が設けられている構成とすることが好ましい。
【００２２】
このように構成することにより、タンク本体の張出片が設けられた側と反対側をタンク受承部材に係止するに当っては、該突部をタンク受承部材の係止部に係合させるだけでよく、該正傾斜の側面に工具や手をぶつけながらビスやボルト等をタンク受承部材に螺合させる作業が不要となるため、極めて簡単に樹脂タンクをタンク受承部材に係止することができるようになる。また、このように構成することにより、樹脂タンクをタンク受承部材に固定するのに必要となるビスやボルトの本数を削減することができ、経済的である。
【００２３】
本発明の樹脂タンク及びその設置構造は、例えば、洋風便器に取り付けられるロータンク及びその設置構造に好適に適用される。
【００２４】
【発明の実施の形態】
以下、図面を参照して本発明の実施の形態について説明する。第１図は本発明の実施の形態に係る樹脂タンク及びその設置構造を示す分解斜視図であり、第２図はこの樹脂タンク及びその設置構造の模式的な縦断面図である。
【００２５】
第１図に示すように、洋風便器（図示略）の後部上面に設置されるベースプレート１０上にタンク受承部材１２が設けられ、このタンク受承部材１２上に樹脂タンクとしてのロータンク１４が載置されている。この実施の形態では、該タンク受承部材１２は、ベースプレート１０と一体に形成されている。
【００２６】
ロータンク１４は、タンク本体１６と、該タンク本体１６の側面から側方に張り出すタンク固定用の張出片１８とを備えている。この張出片１８には、該張出片１８を上下方向に貫通するようにビス挿通孔１８ａが穿設されている。これらのタンク本体１６と張出片１８とは合成樹脂の一体成形品よりなるものであり、このロータンク１４は射出成形により成形されている。
【００２７】
該タンク本体１６は、略方形の底面１６ａと、該底面１６ａの四辺から立ち上がる側面１６ｂ，１６ｃ，１６ｄ，１６ｅとを有した略直方体形状のものである。このタンク本体１６の上面は開口１６ｆとなっている。
【００２８】
第２図に示すように、このタンク本体１６の側面１６ｂ〜１６ｅのうち、側面１６ｂは、底面１６ａに対し略垂直であるか又は該タンク本体１６の内側に傾斜する逆傾斜となっている。なお、本発明では、この側面１６ｂを逆傾斜とし、且つ底面１６ａと該側面１６ｂとの挟角は８５°以下であることが好ましい。この側面１６ｂから張出片１８が側方に張り出している。
【００２９】
この実施の形態では、第２図の通り、該側面１６ｂと対向する側面１６ｄは、タンク本体１６の外方に傾斜する正傾斜となっている。これにより、該タンク本体１６には、上方に向って拡大する抜き勾配が形成され、ロータンク１４を射出成形する際の脱型の容易化が図られている。なお、これらの側面１６ｂ，１６ｄと隣り合う側面１６ｃ，１６ｅも、底面１６ａに対し略垂直であるか又はタンク本体１６の外方に傾斜する正傾斜となっている。
【００３０】
この正傾斜の側面１６ｄからは、第２図に示すように、後述するタンク受承部材１２の係止部１２ｄに係合可能な突部２０が突設されている。
【００３１】
タンク受承部材１２は、第１図に示すように、該タンク本体１６の底面１６ａと略相似形状の底面１２ａと、該底面１２ａを取り囲むように立ち上がる囲枠状部１２ｂとを有する無蓋箱状のものであり、ロータンク１４は、その底部が上方から該囲枠状部１２ｂ内に嵌入されるようにして該底面１２ａ上に載置される。
【００３２】
該囲枠状部１２ｂには、該タンク本体１６の側面１６ｂから張り出した張出片１８の下面に下方から当接するボス部１２ｃと、該側面１２ｂと反対側の側面１２ｄから側方に突き出した突部２０が係合可能な係止部１２ｄとが設けられている。該ボス部１２ｃには、張出片１８のビス挿通孔１８ａを介してビス２２が螺合するビス孔（図示略）が設けられている。
【００３３】
ロータンク１４をこのタンク受承部材１２に固定設置するに際しては、まず、突部２０を係止部１２ｄに係合させつつタンク本体１６の底部を上方から囲枠状部１２ｂ内に嵌入させ、該タンク本体１６をタンク受承部材１２の底面１２ａ上に載置する。次いで、ビス挿通孔１８ａを介し、張出片１８を上方から下方に貫くようにして、ドライバ２４を用いてビス２２をボス部１２ｃに螺合させる。
【００３４】
なお、この実施の形態でも、タンク受承部材１２の底面１２ａには、該ロータンク１４内に貯留された水を便器洗浄水として便器内に供給するための開口１２ｅが設けられている。この開口１２ｅはベースプレート１０をも貫通している。また、タンク本体１６の底面１６ａにも、これと同様の開口（図示略）が設けられている。このタンク本体１６の底面開口には、フロート弁装置（図示略）が装着される。
【００３５】
また、図示はしないが、このロータンク１４を内包するようにベースプレート１０上にロータンクカバーが取り付けられる。このロータンクカバーの上部には、ロータンク１４内に水を供給するためのボールタップと、該フロート弁装置のフロート弁を引き上げ操作するためのフロート弁引き上げ装置とが設けられている。このフロート弁引き上げ装置を操作することにより、フロート弁装置が開弁され、ロータンク１４内の貯留水が前記開口１２ｅ等を介して便器内に放出される。該ボールタップからは、タンク本体１６の上面開口１６ｆを介して該タンク本体１６内に水が供給される。
【００３６】
このように構成されたロータンク１４及びその設置構造にあっては、タンク本体１６の底面１６ａに対し略垂直であるか又はタンク本体１６の内側に傾斜する逆傾斜となっている側面１６ｂからタンク固定用の張出片１８が突設されており、該張出片１８の上側において該側面１６ｂが側方に迫り出していないので、この張出片１８を上方から下方に貫くようにしてビス２２をタンク受承部材１２のボス部１２ｃに螺合させるに際し、ドライバ２４や作業者の手が該タンク本体１６に触れにくい。このため、ロータンク１４のタンク受承部材１２への留め付け作業を容易に行うことができる。
【００３７】
なお、この張出片１８が設けられた側面１６ｂと底面１６ａとの挟角が８５°以下となるように該側面１６ｂをタンク本体１６の内側に逆傾斜させることにより、張出片１８の上側に十分なスペースが確保され、ドライバ２４でビス２２を該ボス部１２ｃに螺合させる作業を極めて容易に行うことができるようになる。
【００３８】
この実施の形態では、ロータンク１４を射出成形するに際して成形品を金型から脱型し易くするために、張出片１８が設けられた略垂直又は逆傾斜の側面１６ｂに対向する側面１６ｄをタンク外方に傾斜する正傾斜としている。
【００３９】
しかしながら、この正傾斜の側面１６ｄから突部２０を突設すると共に、タンク受承部材１２にはこの突部２０が係合可能な係止部１２ｄを設けたことにより、タンク本体１６の該正傾斜の側面１６ｄ側をタンク受承部材１２に係止するに当っては、該突部２０と係止部１２ｄとを係合させるだけでよく、この正傾斜の側面１６ｄにドライバ２４や手をぶつけながらビス２２を回し締めする作業が不要となり、極めて簡単にロータンク１４をタンク受承部材１２に留め付けることが可能である。また、ロータンク１４をタンク受承部材１２に固定するのに必要なビス２２の本数も少なくて済み、経済的である。
【００４０】
上記実施の形態は本発明の一例であり、本発明は図示の形態に限定されるものではない。例えば、上記実施の形態ではタンク本体１６の略垂直又は逆傾斜の側面１６ｂから１個だけ張出片１８が張り出しているが、２個以上の張出片１８が該側面１６ｂから張り出す構成としてもよい。張出片１８は更に他の側面にも設けられてもよい。
【００４１】
上記の実施の形態では樹脂タンクを略直方体形状のロータンク１４としているが、樹脂タンクはこれ以外の形状とされてもよい。
【００４２】
上記実施の形態は便器に設置されるロータンク及びその設置構造への本発明の適用例を示しているが、本発明は、これ以外の種々の樹脂タンク及びその設置構造にも適用可能である。
【００４３】
【発明の効果】
以上の通り、本発明によると、ドライバ等の工具や作業者の手などがタンク側面に触れてビスやボルト等のタンク受承部材への螺合作業がしにくいという従来の不便が解消され、樹脂タンクのタンク受承部材への留め付け作業を容易に行うことが可能となる。
【図面の簡単な説明】
【図１】実施の形態に係る樹脂タンク及びその設置構造の分解斜視図である。
【図２】図１の樹脂タンク及びその設置構造の模式的な縦断面図である。
【図３】従来例に係る樹脂タンク及びその設置構造を示す図である。
【図４】従来例に係る樹脂タンク及びその設置構造の模式的な縦断面図である。
【符号の説明】
１０  ベースプレート
１２  タンク受承部材
１２ａ  底面
１２ｂ  囲枠状部
１２ｃ  ボス部
１２ｄ  係止部
１４  ロータンク
１６  タンク本体
１６ａ  底面
１６ｂ，１６ｃ，１６ｄ，１６ｅ  側面
１８  張出片
１８ａ  ビス挿通孔
２０  突部
２２  ビス
【図１】
2004238808.tif 000003
【図２】
2004238808.tif 000004
【図３】
2004238808.tif 000005
【図４】
2004238808.tif 000006